(57)【要約】【課題】ペットにダメージを与えることなくブラッシングができ、また、ブラシにからみついたペットなどの毛を確実に除去できるグルーミング用ブラシを提供する。【解決手段】下方に第１の吸気口９を有するブラシ本体２と、前記第１の吸気口９に連通すると共に電気掃除機（図示せず）の吸引ホース（図示せず）に接続される連通管３と、前記第１の吸気口９の外周部に設けた複数の小孔１０と、前記小孔１０を貫通し出没自在に配置されたブラシ６とからなるもので、ブラシ６を第１の吸気口９の外周に設けることにより、広範囲のブラッシングを単時間で容易に行うことができる。また、出没自在のブラシ６を引っ込めるだけで、ブラシ６にからみついたペットの毛（図示せず）がこそぎ落とされ、瞬時に第１の吸気口９より吸引されるので、ブラッシング作業が容易で、しかも衛生的である。【選択図】図２
2009066341.tif 000002
【特許請求の範囲】
【請求項１】
下方に第１の吸気口を有するブラシ本体と、前記第１の吸気口に連通すると共に電気掃除機の吸引ホースに接続される連通管と、前記第１の吸気口の外周部に設けた複数の小孔と、前記小孔を貫通し出没自在に配置されたブラシとからなるグルーミング用ブラシ。
【請求項２】
ブラシを、ブラシ本体の内部を上下に移動可能に設けられた基部に一体に設けたことを特徴とする請求項１に記載のグルーミング用グ。
【請求項３】
ブラシをブラシ本体から取り外し可能としたことを特徴とする請求項１又は２に記載のグルーミング用ブラシ。
【請求項４】
第１の吸気口の開口縁を、ブラシ本体の外周に沿うように形成し、前記第１の吸気口を囲うようにブラシを配置したことを特徴とする請求項１〜３のいずれか１項に記載のグルーミング用ブラシ。
【請求項５】
小孔からのブラシの出代を調整可能としたことを特徴とする請求項１〜４のいずれか１項に記載のグルーミング用ブラシ。
【請求項６】
第１の吸気口の外周に、連通管に連通する第２の吸気口を略Ｃ字状に設け、ブラシの出没に応じ前記第２の吸気口の吸気量が変化するように構成し、前記ブラシの出代が最大の時、前記第１の吸気口の吸引力が最低となると共に、前記第２の吸気口の吸引力が最大になることを特徴とする請求項１〜５のいずれか１項に記載のグルーミング用ブラシ。
【請求項７】
第２の吸気口を複数に分割して設けた請求項６に記載のグルーミング用ブラシ。
【発明の詳細な説明】
【技術分野】
【０００１】
本発明は、動物などの毛を漉くグルーミング用ブラシに関するものである。
【背景技術】
【０００２】
従来のこの種のグルーミング用ブラシの内、特にペット用ブラシとして、電気掃除機に接続されるブラシ本体と、ブラシ本体の中間部に配されると共に下部に櫛部を有するブラシ基部と、ブラシ本体に摺動自在に設けられ、櫛部が通る穴を有すると共にコイルバネで下方に付勢された内筒とを備え、ペットをブラッシングする際、内筒の下端を、コイルバネの付勢力に抗してペットの皮膚に押しつけることで、櫛部が突出し、使い終わると、コイルバネの付勢力で、内筒が下方に移動して、櫛部が自動的に収納され、抜けて櫛部にからみついた毛が、除去されると共に、その毛が電気掃除機に吸引されるようにしたものがある（例えば、特許文献１参照）。
【特許文献１】実開平７−３９５７６号公報（実願平５−７６７５２号のマイクロフイルム）
【発明の開示】
【発明が解決しようとする課題】
【０００３】
しかしながら、上記特許文献１に記載された従来のペット用ブラシの構成では、ブラシ本体を、コイルバネの付勢力に抗して、ペットの皮膚に当てて押しつける必要があり、毛の生え具合によっては、ペットの皮膚にダメージを与えてしまうという課題があった。これを改善するために、コイルバネの附勢力を、弱くすることも考えられるが、その付勢力が弱すぎると、櫛部にまとわり付いた毛を除去できなくなるという課題があった。
【０００４】
また、櫛部がブラシ本体の中央に配置しているので、櫛部を配置する範囲が狭くなり、大きなペットの場合には、全身をブラッシングするのに時間がかかるといった課題もあった。
【０００５】
本発明は、上記従来の課題を解決し、ペットなどの皮膚に、ダメージを与えることなく、効率的に、且つ容易にブラッシングができ、しかもブラシにからみついた毛を確実に除去できる使用勝手の良いグルーミング用ブラシを提供することを目的とする。
【課題を解決するための手段】
【０００６】
前記従来の課題を解決するために、本発明のグルーミング用ブラシは、下方に第１の吸気口を有するブラシ本体と、前記第１の吸気口に連通すると共に電気掃除機の吸引ホースに接続される連通管と、前記第１の吸気口の外周部に設けた複数の小孔と、前記小孔を貫通し出没自在に配置されたブラシとからなるもので、ブラシの小孔からの出代を、ペットの毛の長さに合わせて調整すれば、ペットの皮膚に、ダメージを与えることなくブラッシングができ、また、ブラシを第１の吸気口の外周に設けることにより、広範囲のブラッシングを単時間で容易に行うことができる。また、出没自在のブラシを引っ込めるだけで、ブラシにからみついたペットの毛が確実にこそぎ落とされ、瞬時に第１の吸気口より吸引されるので、ブラッシング作業が容易で、しかも衛生的である。
【発明の効果】
【０００７】
本発明のグルーミング用ブラシは、ブラシの小孔からの出代を、ペットの毛の長さに合わせて調整すれば、ペットの皮膚に、ダメージを与えることなくブラッシングができ、また、ブラシを第１の吸気口の外周に設けることにより、広範囲のブラッシングを単時間で容易に行うことができる。また、出没自在のブラシを引っ込めるだけで、ブラシにからみついたペットの毛が確実にこそぎ落とされ、瞬時に第１の吸気口より吸引されるので、ブラッシング作業が容易で、しかも衛生的である。
【発明を実施するための最良の形態】
【０００８】
第１の発明は、下方に第１の吸気口を有するブラシ本体と、前記第１の吸気口に連通すると共に電気掃除機の吸引ホースに接続される連通管と、前記第１の吸気口の外周部に設けた複数の小孔と、前記小孔を貫通し出没自在に配置されたブラシとからなるもので、ブラシの小孔からの出代を、ペットの毛の長さに合わせて調整すれば、ペットの皮膚に、ダメージを与えることなくブラッシングができ、また、ブラシを第１の吸気口の外周に設けることにより、広範囲のブラッシングを単時間で容易に行うことができる。また、出没自在のブラシを引っ込めるだけで、ブラシにからみついたペットの毛が確実にこそぎ落とされ、瞬時に第１の吸気口より吸引されるので、ブラッシング作業が容易で、しかも衛生的である。
【０００９】
第２の発明は、特に、第１の発明のブラシを、ブラシ本体の内部を上下に移動可能に設けられた基部に一体に設けたもので、ブラシと、ブラシ本体内部を上下動する基部を一体成形で形成できるので、部品点数が少なく、メンテナンスも容易である。
【００１０】
第３の発明は、特に、第１又は２の発明のブラシをブラシ本体から取り外し可能に構成したもので、ブラシの交換が可能となり、ペットに合ったブラシを選択して、使用することができる。
【００１１】
第４の発明は、特に、第１〜３のいずれか一つの発明の第１の吸気口の開口縁を、ブラシ本体の外周に沿うように形成し、前記第１の吸気口を囲うようにブラシを配置したもので、ブラシの本数を増すことが出来ると共に、第１の吸気口の近傍にブラシを配置することにより、ブラシを引っ込ませたときに、スムーズにペット毛を吸引することができる。
【００１２】
第５の発明は、特に、第１〜４のいずれか一つの発明の小孔からのブラシの出代を調整可能としたもので、ペットの毛の長さに応じてブラシの出代を調整することにより、ブラシ本体がペットの皮膚や毛に密着して、グルーミング用ブラシのブラッシング操作が重くなったり、ブラシの出すぎにより、毛の吸引性能が低下することが無く、最適な吸引性能で、しかも容易にブラッシング操作をすることが出来る。
【００１３】
第６の発明は、特に、第１〜５のいずれか一つの発明の第１の吸気口の外周に、連通管に連通する第２の吸気口を略Ｃ字状に設け、ブラシの出没に応じ前記第２の吸気口の吸気量が変化するように構成し、前記ブラシの出代が最大の時、前記第１の吸気口の吸引力が最低となると共に、前記第２の吸気口の吸引力が最大になるようにしたもので、第２の吸気口の吸引力が最大になるので、毛の間に入り込んだフケやノミ等を効率よく吸い込むことができ、また、ブラシの出代が小さい時は、第１の吸気口からも空気が吸引されて、第２の吸気口の吸引力が小さくなるので、ペットの肌への吸い付きを低減でき操作性が向上する。
【００１４】
第７の発明は、特に、第６の発明の第２の吸気口を複数に分割して設けたもので、ブラシ本体の底面の強度が増すので、耐久性を向上させることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態におけるグルーミング用ブラシの斜視図、図２は、同グルーミング用ブラシの裏面斜視図、図３は、同グルーミング用ブラシの分解斜視図、図４は、同グルーミング用ブラシの分解断面図。図５は、同グルーミング用ブラシの動作を説明するための部分断面図（開口部２ｃの中央を中心にブラシ本体の前方から見た断面）である。
【００１７】
図１〜５において、本実施の形態におけるグルーミング用ブラシ１のブラシ本体２は、上カバー２ａと下カバー２ｂの２部品から構成され、そのブラシ本体２の後部には、上カバー２ａと下カバー２ｂのそれぞれの後部の部分で形成され電気掃除機（図示せず）の吸引ホース（図示せず）に連結される連通管３が形成されている。この連結管３は、グルーミング用ブラシ１を操作する時の握り部を兼ねている。本実施の形態では、上カバー２ａと下カバー２ｂとは、図示しないネジで結合されているが、上カバー２ａと下カバー２ｂのいずれ一方に突起（図示せず）を設け、他方に、前記突起に嵌合する凹部（図示せず）を設けるようにしても良く、そうすれば、上カバー２ａと下カバー２ｂの分解が、工具無しでできるようになり便利である。
【００１８】
５は、ブラシ本体２内に上下動自在に配された基部で、基部５には、複数のブラシ６が一体に垂下形成されている。基部５は、上カバー２ａと下カバー２ｂを分解すれば、容易に取り出せるようになっている。
【００１９】
下カバー２ｂの底面の前部中央部には、連通管３に連通すると共に、開口縁がブラシ本体２の外周に沿うように第１の吸気口９が配され、その第１の吸気口９の外周に、ブラシ６が貫通する小孔１０が複数設けられ、更に、小孔１０の外周で、連通管３に連通すると共に、ブラシ本体２の外周に沿うように、略Ｃ字状に複数の第２の吸気口１１が形成されている。
【００２０】
基部５は、複数の開口部５ａを有するフランジ５ｂと、基部５を最も下方に下げたときに第１の吸気口９を閉塞する閉塞部５ｃを備えている。また、基部５を最も下方に下げたときに、開口部５ａと、第２の吸気口１１がそれぞれ重なるように、すなわち、第２の吸気口１１とブラシ本体２内部との連通状態が維持されるようになっている。
【００２１】
１３は、上カバー２ａに設けた開口部２ｃに回動自在に設けられ、基部５を上下させて、ブラシ６の小孔１０からの出代を調整する出代調整つまみである。
【００２２】
以上のように構成された本実施の形態におけるグルーミング用ブラシの動作、作用は以下の通りである。
【００２３】
最初に、毛の短いペットのグルーミングを行なうときは、図５（ａ）に示すように、出代調整つまみ１３を回動して、基部５を上に上げて、ブラシ６の出代を小さくする。この状態では、グルーミングを行なっているときに抜けた毛は、矢印で示すように、第１の吸気口９または第２の吸気口１１から吸引される。
【００２４】
逆に、毛の長いペットのグルーミングを行なうときは、図５（ｂ）に示すように、出代調整つまみ１３を回動して、基部５を下げ、ブラシ６の出代を大きくする。特に、基部５を最も下まで下げると、同図に示すように、第１の吸気口９が、基部５の閉塞部５ｃで閉塞され、矢印で示すように、毛は、空気と共に、第２の吸気口１１を経て開口部５ａからのみ吸引される。
【００２５】
以上のように、ブラシ６の出代を調整した後、グルーミング用ブラシ１を図示しない電気掃除機のホースの先端に接続し、電気掃除機を運転しながら、グルーミング用ブラシ１をペットの皮膚に沿って移動させる。
【００２６】
通常、ブラシ６で梳かれたときに抜けた毛は、瞬時に、第１の吸気口９又は第２の吸気口１１から吸引され、ホースを通って、電気掃除機内の集塵室（図示せず）で捕集されるが、毛の一部が、図５（ｂ）に示すように、吸引されず、ブラシ６にからみついたまま残ることがある。このときは、図５（ｃ）に示すように、出代調整つまみ１３を回動して、ブラシ６の下端を、小孔１０の端面まで引っ込めると、ブラシ６にからみついた毛は、こそぎ取られ、瞬時に第１の吸気口９又は、第２の吸気口１１から吸引される。
【００２７】
以上のように、本実施の形態によれば、ブラシ６を第１の吸気口９の外周に出没自在に設けることにより、広範囲のブラッシングを単時間で容易に行うことができる。また、出没自在のブラシ６を引っ込めるだけで、ブラシ６にからみついたペットの毛がこそぎ落とされ、瞬時に第１の吸気口９又は第２の吸気口１１より吸引されるので、ブラッシング作業が容易で、しかも衛生的である。
【００２８】
また、ブラシ６と、ブラシ本体２内部を上下動する基部５を一体形成しているので、部品点数が少なく、メンテナンスも容易である。
【００２９】
また、ブラシ本体２の上カバー２ａと下カバー２ｂを分解するだけで、基部５を簡単に交換できるので、種類の異なるペットを飼っている場合、ペットに合わせて、ブラシ６の形状（例えば、太さや、長さ）の異なる基部５を複数準備しておけば、ペットに合った基部５を選択して、使用することができる。
【００３０】
さらに、第１の吸気口９の開口縁を、ブラシ本体２の外周に沿うように形成し、第１の吸気口９を囲うようにブラシ６を配置することで、ブラシ６の本数を増すことが出来ると共に、第１の吸気口９の近傍にブラシ６を配置することにより、ブラシ６を引っ込ませたときに、スムーズに毛を吸引することができる。
【００３１】
また、ペットの毛の長さに応じて、出代調整つまみ１３で、小孔１０からのブラシ６の出代を調整することができるので、ブラシ本体２がペットの皮膚や毛に密着して、グルーミング用ブラシ１のブラッシング操作が重くなったり、ブラシ６の出すぎにより、毛の吸引性能が低下することが無く、最適な吸引性能で、しかも容易にブラッシング操作をすることが出来る。
【００３２】
また、ブラシ６の出代が最大の時は、第１の吸気口９が塞がれて、第１の吸気口９の吸引力が最低となると共に、第２の吸気口１１の吸引力が最大になるので、毛の間に入り込んだフケやノミ等を効率よく吸い込むことができる。また、ブラシの出代が小さい時は、第１の吸気口９からも空気が吸引されて、第２の吸気口１１の吸引力が小さくなるので、グルーミング用ブラシ１のペットの肌への吸い付きを低減でき操作性が向上する。
【００３３】
また、第２の吸気口１１を複数に分割して設けたので、ブラシ本体２の底面の強度が増し、耐久性を向上させることができる。
【産業上の利用可能性】
【００３４】
以上のように、本発明にかかるグルーミング用ブラシは、ペットなどの皮膚にダメージを与えることなくブラッシングができ、また、広範囲のブラッシングを単時間で容易に行うことができる。また、出没自在のブラシを引っ込めるだけで、ブラシにからみついたペットの毛が確実にこそぎ落とされ、瞬時に第１の吸気口より吸引されるので、ブラッシング作業が容易で、しかも衛生的なもので、家庭用、業務用の各種グルーミング用ブラシに適用できる。
【図面の簡単な説明】
【００３５】
【図１】本発明の第１の実施の形態におけるグルーミング用ブラシの斜視図
【図２】同グルーミング用ブラシの裏面斜視図
【図３】同グルーミング用ブラシの分解斜視図
【図４】同グルーミング用ブラシの分解断面図
【図５】（ａ）同グルーミング用ブラシの部分断面図（ブラシの出代が小さい場合）、（ｂ）同グルーミング用ブラシの部分断面図（ブラシの出代が最大の場合）、（ｃ）同グルーミング用ブラシの部分断面図（ブラシを引っ込めた状態）
【符号の説明】
【００３６】
１    グルーミング用ブラシ
２    ブラシ本体
３    連通管
５    基部
６    ブラシ
９    第１の吸気口
１０  小孔
１１  第２の吸気口
１３  出代調整つまみ
【図１】
2009066341.tif 000003
【図２】
2009066341.tif 000004
【図３】
2009066341.tif 000005
【図４】
2009066341.tif 000006
【図５】
2009066341.tif 000007